(57)【特許請求の範囲】
【請求項１】
浴室内に開口した吸気口２３と吹出口２４及び浴室外に開口した主換気口２８ａと補助換気口２８ｂを有する本体２２と、
前記本体２２内に設けられて吸気口２３より浴室内の空気を吸い込みする送風機３５と、
前記本体２２内に設けられて送風機３５の吐出した空気を前記吹出口２４と主換気口２８ａに送る主風路３９及び前記吐出した空気を前記補助換気口２８ｂに送る補助風路４０と、
前記主風路３９を吹出口２４に開口し、かつ主換気口２８ａと遮断する全閉位置と、前記主風路３９を主換気口２８ａに開口し、かつ吹出口２４と遮断する全開位置とに亘って移動する主ダンパー４３と、
前記補助風路４０と補助換気口２８ｂを遮断する全閉位置と、補助風路４０と補助換気口２８ｂを略半分開口させる半開位置と、補助風路４０と補助換気口２８ｂを開口させる全開位置とに亘って移動する補助ダンパー４４と、
前記主風路３９に設けられて通電することで発熱する熱交換器４２とを備え、前記補助ダンパー４４を、ダンパー駆動用電動機４５により回転される主軸４８にプレート４９を取付けたものとし、前記主ダンパー４３を、前記主軸４８の周りに回転自在なる回転軸４６にプレート４７を設けたものとし、
前記主軸４８と回転軸４６を、主軸４８が所定角度回転して補助ダンパー４４が半開位置となった後には主軸４８とともに回転軸４６が回転して主ダンパー４３と補助ダンパー４４がともに全開位置となるように連係して、前記主ダンパー４３と補助ダンパー４４とを１つのダンパー駆動用電動機４５で各位置に移動できるように構成したことを特徴とする浴室換気乾燥機。
【発明の詳細な説明】
【０００１】
【発明の属する技術分野】
本発明は、浴室内を換気したり、暖房したり、乾燥したりなどする浴室換気乾燥機に関する。
【０００２】
【従来の技術】
浴室換気乾燥機としては種々のものが知られている。
例えば、図１に示すように浴室の天井１の取付角材２に取付けた本体３に循環用吸気口４、吹出口５、換気用吸気口６、換気口７を形成し、その本体３に循環用送風機８、換気用送風機９、熱交換器１０を設けた第１の浴室換気乾燥機が知られている。
【０００３】
かかる第１の浴室換気乾燥機であれば、換気用送風機９を駆動することで浴室内の空気を換気用吸気口６から吸い込んで換気口７より外部に排出して浴室内を換気できる。
【０００４】
また、循環用送風機８を駆動すると共に、熱交換器１０に通電して発熱すれば浴室内の空気を熱交換器１０で加温して浴室内に吹き出して浴室内を暖房できる。
【０００５】
また、循環用送風機８、排気用送風機９をそれぞれ駆動すると共に、熱交換機１０に通電して発熱すれば、浴室内の空気を加温して循環できると共に、浴室内の高湿度の空気を外部に排出して浴室内を乾燥できる。
【０００６】
また、循環用送風機８、排気用送風機９をそれぞれ駆動すれば、浴室内の空気を循環できるし、浴室内に涼風を送ることができる。
【０００７】
また、特開昭４９−４３２５４号公報に示すように、吸気口と吹出口と排気口を有する本体に送風機とヒータとダンパーを取付けた第２の浴室換気乾燥機が知られている。
【０００８】
この第２の浴室換気乾燥機であれば、ダンパーで吹出口を閉じた状態で送風機を駆動することにより浴室内の空気が換気口より外部に排出されるので浴室内を換気できる。ダンパーで吹出口を開いた状態で送風機を駆動することにより浴室内の空気を吹出口と換気口に分流して排出されるので浴室内に涼風を送ることができる。前述の状態でヒータに通電すれば浴室内を乾燥して浴室を乾燥室として利用できる。
【０００９】
【発明が解決しようとする課題】
第１の浴室換気乾燥機であると、電動機を備えた循環用送風機８と電動機を備えた換気用送風機９を備えているので、大型となるばかりか高価で、大重量となる。
【００１０】
また、第２の浴室換気乾燥機であると、吸気口と換気口が常時連通しており、ダンパーにより吹出口を開いた状態でヒータに通電して送風機を駆動すると浴室内の空気の一部がヒータで加熱されて浴室内に送り込まれると同時に浴室内の空気の一部が換気口より排出されるので浴室内の高湿度となった空気を外部に排出して浴室内を乾燥できるし、ヒータに通電しなければ換気しながら浴室内に空気を循環して浴室内に涼風を送り込むことができる。
しかしながら、この浴室換気乾燥機は浴室内の空気の一部を常時外部に排出するので、冬季などに浴室内を暖房する際にも浴室内の空気の一部が外部に排出されるので、浴室内を効率良く暖房できない。
【００１１】
そこで、本発明は前述の課題を解決できるようにした浴室換気乾燥機を提供することを目的とする。
【００１２】
【課題を解決するための手段】
本発明は、浴室内に開口した吸気口２３と吹出口２４及び浴室外に開口した主換気口２８ａと補助換気口２８ｂを有する本体２２と、
前記本体２２内に設けられて吸気口２３より浴室内の空気を吸い込みする送風機３５と、
前記本体２２内に設けられて送風機３５の吐出した空気を前記吹出口２４と主換気口２８ａに送る主風路３９及び前記吐出した空気を前記補助換気口２８ｂに送る補助風路４０と、
前記主風路３９を吹出口２４に開口し、かつ主換気口２８ａと遮断する全閉位置と、前記主風路３９を主換気口２８ａに開口し、かつ吹出口２４と遮断する全開位置とに亘って移動する主ダンパー４３と、
前記補助風路４０と補助換気口２８ｂを遮断する全閉位置と、補助風路４０と補助換気口２８ｂを略半分開口させる半開位置と、補助風路４０と補助換気口２８ｂを開口させる全開位置とに亘って移動する補助ダンパー４４と、
前記主風路３９に設けられて通電することで発熱する熱交換器４２とを備え、前記補助ダンパー４４を、ダンパー駆動用電動機４５により回転される主軸４８にプレート４９を取付けたものとし、前記主ダンパー４３を、前記主軸４８の周りに回転自在なる回転軸４６にプレート４７を設けたものとし、
前記主軸４８と回転軸４６を、主軸４８が所定角度回転して補助ダンパー４４が半開位置となった後には主軸４８とともに回転軸４６が回転して主ダンパー４３と補助ダンパー４４がともに全開位置となるように連係して、前記主ダンパー４３と補助ダンパー４４とを１つのダンパー駆動用電動機４５で各位置に移動できるように構成したことを特徴とする浴室換気乾燥機である。
【００１３】
【作用】
本発明によれば、主ダンパー４３と補助ダンパー４４を全閉位置とし、熱交換器４２を発熱させた状態で送風機３５を駆動すると、浴室内の空気を吸い込んで、その空気の全量が主風路３９に流れて熱交換器４２で加温して吹出口２４より浴室内に吹き出すから、浴室内を効率良く暖房できる。
主ダンパー４３を全閉位置、補助ダンパー４４を半開位置とし、熱交換器４２を発熱させない状態で送風機３５を駆動すると、浴室内の空気を吸込んでその一部の空気が主風路３９、吹出口２４より浴室内に吹き出しされ、残りの空気が補助風路４０、補助換気口３８ｂより外部に排出されるので、換気しながら浴室内の空気を循環して浴室内に涼風を送り込むことができ、夏季の浴室内を浴室使用者にとって快適な状態とすることができる。
主ダンパー４３を全閉位置、補助ダンパー４４を半開位置とし、熱交換器４２を発熱させた状態で送風機３５を駆動すると、浴室内の空気を吸い込んでその一部の空気が主風路３９に流れて熱交換器４２で加温されて吹出口２４より浴室内に吹き出しされ、残りの空気が補助風路４０、補助換気口３８ｂより外部に排出されるので、浴室内を加温しながら浴室内の高湿度となった空気を外部に排出して浴室内を効率良く乾燥できる。
主ダンパー４３と補助ダンパー４４を全開位置とし、熱交換器４２を発熱させない状態で送風機３５を駆動すると、浴室内の空気を吸込んで、その空気の全量が主風路３９、補助風路４０を通って主換気口２８ａ、補助換気口２８ｂより外部に排出されるので、浴室内を効率良く換気できる。
以上の様であるから、浴室内を乾燥、暖房、換気できるし、浴室内に涼風を送り込むことができ、しかも１つの送風機３５を用いているだけであるから、小形、重量小で安価な浴室換気乾燥機となる。
また、ダンパー駆動用電動機４５を一方向に所定回転数又は所定角度回転することで補助ダンパー４４を半開位置とし、それ以上回転すると補助ダンパー４４と主ダンパー４３がともに全開位置となるので、ダンパー駆動用電動機４５の一方向の回転数又は回転角度を制御することで主ダンパー４３、補助ダンパー４４を暖房、涼風、乾燥、換気に応じた位置に移動できる。
【００１４】
【発明の実施の形態】
図２、図３、図４に示すように、下面を開口した箱体２０の開口縁にほぼ皿状のグリル２１を取付けて本体２２としてある。前記グリル２１には吸気口２３と吹出口２４が形成してある。
【００１５】
前記箱体２０は上壁２５、相対向した一対の第１側壁２６と、相対向した一対の第２側壁２７とにより下面を開口した箱状としてある。その一方の第２側壁２７に換気口２８が形成してあり、この換気口２８の周縁に継手２９が固設してある。
【００１６】
前記箱体２０の各第１側壁２６、各第２側壁２７に亘って横仕切板３０が固着され、この横仕切板３０と上壁２５に亘ってほぼ円弧状の送風機ケース３１が固着してある。この送風機ケース３１内にシロッコファンなどの送風ファン３２が回転自在に設けてあり、この送風ファン３２は上壁２５に取付けた電動モータ３３で回転駆動される。前記横仕切板３０にはベルマウスと呼ばれる吸込口３４が前記送風ファン３２と同心状に形成してあり、これによって送風機３５を構成している。
【００１７】
前記送風機ケース３１の吐出部分３１ａと連続して縦仕切板３６が一体的に設けてあり、この縦仕切板３６は一方の第２側壁２７まで連続して送風機３５の吐出部分を換気口２８に連続する風路３７を構成している。
【００１８】
前記風路３７は横仕切板３０と上壁２５とに亘って取付けた風路仕切板３８によって主風路３９と補助風路４０に区画されている。前記主風路３９は幅広く開口面積が大となって多量の空気が流通し、補助風路４０は幅狭く開口面積が小となって少量の空気が流通する。
【００１９】
前記換気口２８も風路仕切板３８によって主換気口２８ａと補助換気口２８ｂに区画され、この主換気口２８ａが主風路３９に開口し、補助換気口２８ｂが補助風路４０に開口している。
【００２０】
前記横仕切板３０における主風路３９の主換気口２８ａ寄りには開口部４１が形成してある。この開口部４１にヒータ等の通電することで発熱する熱交換器４２が取付けてあり、この熱交換器４２は吹出口２４と対向している。
【００２１】
前記主風路３９の主換気口２８ａ寄り位置には主ダンパー４３が設けられ、前記補助風路３９の補助換気口２８ｂより位置には補助ダンパー４４が設けてある。この主ダンパー４３と補助ダンパー４４はダンパー駆動用電動機４５で開閉作動される。
【００２２】
前記主ダンパー４３は図５に示すように、筒状の回転軸４６にプレート４７を固設したものである。前記補助ダンパー４４は主軸４８にプレート４９を固設したものである。この主軸４８がダンパー駆動用電動機４５の出力軸４５ａにより回転駆動され、前記回転軸４６が主軸４８の回りに回動自在に支承してある。
【００２３】
前記回転軸４６には切欠溝５０が形成してあり、前記主軸４８に設けたピン５１が切欠溝５０内に突出している。前記主軸４８にはカム５２が取付けあり、このカム５２により作動されるスイッチ５３が前記箱体２０に取付けある。
【００２４】
前記ダンパー駆動用電動機４５は図３に示すように縦仕切板３６に取付けてあり、前記主軸４８は風路仕切板３８を貫通して一方の第１側壁２６に回転自在に支承してある。前記回転軸４６は図５に示すように第１スプリング５４で反時計方向に回動されて主ダンパー４３は図２に示すように上壁２５に当接して全閉位置としてある。前記主軸４８は第２スプリング５５で半時計方向に回動されて補助ダンパー４４は図２に示すように上壁２５に当接して全閉位置としてある。
【００２５】
主ダンパー４３、補助ダンパー４４が全閉位置の時には、図６に示すようにカム５２とスイッチ５３が接触してスイッチ５３がＯＮとなり、ピン５１と切欠溝５０とは回転方向に離隔している。
【００２６】
図６に示す状態より主軸４８が矢印で示す時計方向に回転して補助ダンパー４４が所定角度α回動して仮想線で示す半開位置となると、カム５２も所定角度α回転してスイッチ５２と離れてスイッチ５２がＯＦＦし、ピン５１も所定角度α回転して切欠溝５０と回転方向に接するようにしてある。
【００２７】
図７は操作回路図であり、ダンパー駆動用電動機４５はモータ巻線６０、図示しない電磁クラッチ、そのソレノイド６１、整流回路６２、クイックスイッチ６３等を備え、それらは電源スイッチ６４、リレースイッチ６５、前記スイッチ５３を経て電源６６に接続している。
【００２８】
操作ボックス６７には暖房スイッチ６８、涼風スイッチ６９、換気スイッチ７０、乾燥スイッチ７１が設けてあり、これらのスイッチをＯＮすることで前述の電源スイッチ６４、リレースイッチ６５をＯＮ，ＯＦＦすると共に送風機３５の電動モータ３３、熱交換機４２に通電制御する。
【００２９】
次に各運転モードの動作を説明する。
（停止している時）
各スイッチがＯＦＦとなり、電源スイッチ６４、リレースイッチ６５がＯＦＦとなると共に、電動モータ３３、熱交換器４２に通電しない。
これにより、モータ巻線６０、ソレノイド６１に通電されないのでダンパー駆動用電動機４５は回転しないし、電磁クラッチが切となって出力軸４５ａがフリー回転状態となる。
【００３０】
したがって、回転軸４６、主軸４８が第１、第２スプリング５４，５５で反時計方向に回転して主ダンパー４３、補助ダンパー４４が図８に示すように全閉位置となり、主換気口２８ａと主風路３９及び補助換気口２８ｂと補助風路４０がそれぞれ遮断される。このために、室外の空気が本体２２内に入り込むことがない。
【００３１】
（暖房運転モード）
暖房スイッチ６８をＯＮすると電動モータ３３に通電されて送風機３５が駆動し、熱交換器４２に通電して熱交換器４２が発熱するので、送風機３５によって浴室内の空気を吸気口２３より吸い込んで主風路３９、開口部４１を経て熱交換器４２で加温された後に吹出口２４より浴室内に吹き出しする。
【００３２】
この時、主ダンパー４３、補助ダンパー４４は全閉位置のままであるから、送風機３５による空気は全量が熱交換器４２を通って浴室内に吹き出しされるので、浴室内を効率良く暖房できる。
【００３３】
（涼風運転モード）
涼風スイッチ６９をＯＮすることで電動モータ３３に通電して送風機３５を駆動すると共に、電源スイッチ６４をＯＮしてモータ巻線６０とソレノイド６１に通電する。この時、クイックスイッチ６３、スイッチ５３はともにＯＮしている。
【００３４】
これにより、ダンパー駆動用電動機４５が駆動し、電磁クラッチが接となるのでダンパー駆動用電動機４５の出力軸４５ａにより主軸４８を時計方向に回転して補助ダンパー４４を開き側に回動し、その補助ダンパー４４が半開位置となると前述のようにカム５２でスイッチ５３がＯＦＦされる。
【００３５】
スイッチ５３がＯＦＦされるとモータ巻線６０に通電しなくなってダンパー駆動用電動機４５は停止する。この時、ソレノイド６１には通電され続けるので電磁クラッチが接のままであり、補助ダンパー４４は半開位置に停止する。
【００３６】
したがって、図９に示すように主ダンパー４３が全閉位置で、補助ダンパー４４が半開位置となるので、前述のように送風機３５で吸い込んだ浴室内の空気の一部は主風路３９、開口部４１、吹出口２４より浴室内に吹出され、残りの空気は補助風路４０、補助換気口２８ｂより室外に排出される。
これにより、換気をしながら浴室内の空気を循環して浴室内に涼風を送り込むことができ、夏季の浴室内を浴室内使用者にとって快適な状態とすることができる。
【００３７】
（乾燥運転モード）
乾燥スイッチ７１をＯＮすることで電動モータ３３に通電して送風機３５を駆動すると共に、熱交換機４２に通電して発熱させ、さらに電源スイッチ６４をＯＮしてモータ巻線６０とソレノイド６１に通電する。この時、クイックスイッチ６３、スイッチ５３はともにＯＮしている。
【００３８】
これにより、ダンパー駆動用電動機４５が駆動し、電磁クラッチが接となるのでダンパー駆動用電動機４５の出力軸４５ａにより主軸４８を時計方向に回転して補助ダンパー４４を開き側に回動し、その補助ダンパー４４が半開位置となると前述のようにカム５２でスイッチ５３がＯＦＦされる。
【００３９】
スイッチ５３がＯＦＦされるとモータ巻線６０に通電しなくなってダンパー駆動用電動機４５は停止する。この時、ソレノイド６１は通電され続けるので電磁クラッチが接のままであり、補助ダンパー４４は半開位置に停止する。
【００４０】
したがって、図９に示すように主ダンパー４３が全閉位置で、補助ダンパー４４が半開位置となるので、前述のように送風機３５で吸い込んだ浴室内の空気の一部は主風路３９、開口部４１を経て熱交換器４２で加温されて吹出口２４より浴室内に吹き出しされ、残りの空気は補助風路４０、補助換気口２８ｂより室外に排出される。
これにより、浴室内を加温しながら浴室内に高湿度となって空気を外部に排出して浴室内を効率良く乾燥できる。
【００４１】
つまり、乾燥運転モードと涼風運転モードは熱交換器４２に通電するか、しないかの相違である。
【００４２】
（換気運転モード）
換気スイッチ６９をＯＮすることで電動モータ３３に通電して送風機３５を駆動すると共に、電源スイッチ６４をＯＮしてモータ巻線６０とソレノイド６１に通電し、さらにリレースイッチ６５をＯＮする。この時、クイックスイッチ６３、スイッチ５３はともにＯＮしている。
【００４３】
これにより、ダンパー駆動用電動機４５が駆動し、電磁クラッチが接となるのでダンパー駆動用電動機４５の出力軸４５ａにより主軸４８を時計方向に回転して補助ダンパー４４を開き側に回動し、その補助ダンパー４４が半開位置となると前述のようにカム５２でスイッチ５３がＯＦＦされるが、リレースイッチ６５がＯＮしているのでモータ巻線６０に通電され続けてダンパー駆動用電動機４５は回転し続ける。
【００４４】
これにより、主軸４８に設けたピン５１が回転軸４６の切欠溝５０に回転方向に当接して主軸４８とともに回転軸４６が時計方向に回転し、主ダンパー４３と補助ダンパー４４が開き側に向けて回動する。
【００４５】
そして、主ダンパー４３と補助ダンパー４４が全開位置となるとクイックスイッチ６３がＯＦＦし、モータ巻線６０に通電しなくなるのでダンパー駆動用電動機４５が停止する。
つまり、クイックスイッチ６３はダンパー駆動用電動機４５の出力軸４５ａが所定の回転数又は回転角度回転するとＯＦＦとなるようにしてある。
この時、ソレノイド６１には通電され続けるので電磁クラッチが接のままであり、主ダンパー４３、補助ダンパー４４は全開位置に停止する。
【００４６】
したがって、図１０に示すように主ダンパー４３が全開位置で、補助ダンパー４４が全開位置となるので、前述のように送風機３５で吸い込んだ浴室内の空気は主風路３９、主換気口２８ａ、補助風路４０、補助換気口２８ｂより全量が室外に排出される。
これにより、浴室内を効率良く換気できる。
【００４７】
前述の各運転モードにおいて、各スイッチを再度操作するか、停止スイッチを操作することで電源スイッチ６４、リレースイッチ６５がＯＦＦとなり、モータ巻線６０に通電されなくなるし、ソレノイド６１に通電されなくなるので、主軸４９、回転軸４６は第２、第１スプリング５５，５４で反時計方向に回転して主ダンパー４３、補助ダンパー４４が図８に示す全閉位置となる。
【００４８】
以上の実施例ではスイッチ５３、クイックスイッチ６４、リレースイッチ６５等により主ダンパー４３、補助ダンパー４４を制御したが、マイクロコンピュータによりダンパー駆動用電動機４５の回転数、又は回転角度を制御して主ダンパー４３、補助ダンパー４４を制御しても良い。
【００４９】
【発明の効果】
請求項１に係る発明によれば、主ダンパー４３と補助ダンパー４４を全閉位置とし、熱交換器４２を発熱させた状態で送風機３５を駆動すると、浴室内の空気を吸い込んで、その空気の全量が主風路３９に流れて熱交換器４２で加温して吹出口２４より浴室内に吹き出すから、浴室内を効率良く暖房できる。
主ダンパー４３を全閉位置、補助ダンパー４４を半開位置とし、熱交換器４２を発熱させない状態で送風機３５を駆動すると、浴室内の空気を吸込んでその一部の空気が主風路３９、吹出口２４より浴室内に吹き出しされ、残りの空気が補助風路４０、補助換気口３８ｂより外部に排出されるので、換気しながら浴室内の空気を循環して浴室内に涼風を送り込むことができ、夏季の浴室内を浴室使用者にとって快適な状態とすることができる。
主ダンパー４３を全閉位置、補助ダンパー４４を半開位置とし、熱交換器４２を発熱させた状態で送風機３５を駆動すると、浴室内の空気を吸い込んでその一部の空気が主風路３９に流れて熱交換器４２で加温されて吹出口２４より浴室内に吹き出しされ、残りの空気が補助風路４０、補助換気口３８ｂより外部に排出されるので、浴室内を加温しながら浴室内の高湿度となった空気を外部に排出して浴室内を効率良く乾燥できる。
主ダンパー４３と補助ダンパー４４を全開位置とし、熱交換器４２を発熱させない状態で送風機３５を駆動すると、浴室内の空気を吸込んで、その空気の全量が主風路３９、補助風路４０を通って主換気口２８ａ、補助換気口２８ｂより外部に排出されるので、浴室内を効率良く換気できる。
以上の様であるから、浴室内を乾燥、暖房、換気できるし、浴室内に涼風を送り込むことができ、しかも１つの送風機３５を用いているだけであるから、小形、重量小で安価な浴室換気乾燥機となる。
また、主ダンパー４３と補助ダンパー４４は１つのダンパー駆動用電動機４５で各位置に移動しているから、より一層小形、重量小で安価な浴室換気乾燥機となるし、主ダンパー４３と補助ダンパー４４を各位置に正確に移動できる。
また、ダンパー駆動用電動機４５を一方向に所定回転数又は所定角度回転することで補助ダンパー４４を半開位置とし、それ以上回転すると補助ダンパー４４と主ダンパー４５がともに全開位置となるので、ダンパー駆動用電動機４５の一方向の回転数又は回転角度を制御することで主ダンパー４３、補助ダンパー４４を暖房、涼風、乾燥、換気に応じた位置に移動でき、その制御が容易となる。
【図面の簡単な説明】
【図１】従来例の断面説明図である。
【図２】本発明の実施例を示す縦断面図である。
【図３】図２の横断面図である。
【図４】図２の左側面図である。
【図５】ダンパー駆動部の斜視図である。
【図６】図５のＡ−Ａ断面図である。
【図７】操作回路図である。
【図８】主ダンパー、補助ダンパーがともに全閉位置の状態を示す斜視図である。
【図９】主ダンパーが全閉位置で補助ダンパーが半開位置の状態を示す斜視図である。
【図１０】主ダンパー、補助ダンパーがともに全開位置の状態を示す斜視図である。
【符号の説明】
２２…本体、２３…吸気口、２４…吹出口、２８ａ…主換気口、２８ｂ…補助換気口、３５…送風機、３９…主風路、４０…補助風路、４２…熱交換器、４３…主ダンパー、４４…補助ダンパー、４５…ダンパー駆動用電動機、４６…回転軸、４７…プレート、４８…主軸、４９…プレート、５０…切欠溝、５１…ピン、５２…カム、５３…スイッチ、６０…モータ巻線、６１…ソレノイド、６３…クイックスイッチ、６４…電源スイッチ、６５…リレースイッチ、６８…暖房スイッチ、６９…涼風スイッチ、７０…換気スイッチ、７１…乾燥スイッチ。
【図１】
0003757367.tif 000002
【図２】
0003757367.tif 000003
【図３】
0003757367.tif 000004
【図４】
0003757367.tif 000005
【図５】
0003757367.tif 000006
【図６】
0003757367.tif 000007
【図７】
0003757367.tif 000008
【図８】
0003757367.tif 000009
【図９】
0003757367.tif 000010
【図１０】
0003757367.tif 000011